(57)【要約】【課題】光ピックアップとスピンドルモータとを確実に正しい位置関係にする。【解決手段】ベースプレート２７とモータプレート２９との間に、スペーサ４０を配設する。ベースプレート２７にネジ孔を形成する。モータプレート２９に、係合ボス４０ｂよりも大きい径の係合孔２９ａを形成する。スペーサ４０に係合部４０ａを形成する。係合部４０ａに係合ボス４０ｂを形成する。係合部４０ａ及び係合ボス４０ｂに連通して、挿通孔を形成する。挿通孔の第１段孔４０ｄを、取付ネジ４１のネジ部の径よりも大きく、且つテーパ部４１ｂよりも小さい径で形成する。係合ボス４０ｂにスリットを２個形成する。取付ネジ４１を、ネジ部、テーパ部４１ｂ、頭部４１ｃから構成する。ネジ部をネジ孔に噛合すると、テーパ部４１ｂが第１段孔４０ｄに入り込み、係合ボス４０ｂが左右に広がり、係合ボス４０ｂとモータプレート２９との間の隙間がなくなる。【選択図】図８
2007280514.tif 000002
【特許請求の範囲】
【請求項１】
光ピックアップを光ディスクの径方向に移動自在に支持する支持シャフトが取り付けられたベースプレートと、
前記光ディスクを回転させるスピンドルモータが固着されたモータプレートと、
前記ベースプレートと前記モータプレートとの間に配されるスペーサと、
前記スペーサを挟持した状態で前記ベースプレートと前記モータプレートとを係止する係止部材と、を備えた光ディスク装置であって、
前記スペーサは、前記モータプレートに形成された係合孔に挿入される係合ボスと、前記係合ボスに形成され前記係止部材が挿通される挿通孔と、を備え、
前記係止部材は、前記挿通孔を挿通され、前記ベースプレートに形成された係止孔に係止する係止部と、前記挿通孔の径よりも大きい径で形成され、前記挿通孔に入り込む大径部と、前記係合孔の径よりも大きい径で形成された頭部と、を備え、
前記係合ボスは、前記挿通孔に入り込んだ前記大径部により外側に広がることを特徴とする光ディスク装置。
【請求項２】
前記大径部を、前記挿通孔に入り込み前記係合ボスを外側に広げたときに、前記係合ボスが前記モータプレートに当接する径サイズで形成したことを特徴とする請求項１記載の光ディスク装置。
【請求項３】
前記係合ボスの側面にスリットを形成したことを特徴とする請求項１または２記載の光ディスク装置。
【請求項４】
前記大径部を、前記挿通孔に入り込む挿入側の一端が前記挿通孔よりも径が小さく、他端に向かうにつれて径が大きくなるテーパ状に形成したことを特徴とする請求項１ないし３いずれか１つ記載の光ディスク装置。
【請求項５】
前記支持シャフトは、一端が前記ベースプレートに取り付けられ、他端が前記スペーサに取り付けられていることを特徴とする請求項１ないし４いずれか１つ記載の光ディスク装置。
【発明の詳細な説明】
【技術分野】
【０００１】
本発明は、光ピックアップにより光ディスクに記録された情報の再生や記録を行う光ディスク装置に関するものである。
【背景技術】
【０００２】
ＣＤ−Ｒ、ＤＶＤなどの光ディスクはパーソナルコンピュータなどの記憶媒体として広く用いられている。最近ではデスクトップ型のものだけでなく、ノートパソコンと称される携帯型のものにも光ディスク装置が内蔵され、これらの光ディスクを用いることが可能となっている。光ディスク装置は、ディスクトレイ上に装填された光ディスクを高速で回転させるディスク回転機構と、光ディスクの半径方向に移動しながら光ディスクにレーザ光を照射して情報を記録し、あるいは光ディスクから反射されたレーザ光を受光して情報の読み出しを行う光ピックアップとを備えている。
【０００３】
光ピックアップは、キャリッジに取り付けられており、キャリッジは、ベース板金に取り付けられた支持シャフトに光ディスクの径方向に移動自在に支持されている。ベース板金には、光ディスクを回転させるスピンドルモータが固着されたモータ板金が取り付けられる。モータ板金には係合孔が形成され、ベース板金にはネジ締め孔が形成され、モータ板金とベース板金との間には、係合ボスが形成されたスペーサが配されており、係合ボスには、ネジ挿通孔が形成されている。そして、スペーサの係合ボスをモータ板金の係合孔に挿入した後、ネジを係合孔及びネジ挿通孔を介してネジ締め孔に噛合することにより、スペーサを挟持した状態でベース板金とモータ板金とを取り付けている。
【０００４】
近年では、光ディスクの情報記録密度が高くなってきており、光ピックアップとスピンドルモータとを正確に配置することが求められている。このため、ベース板金とモータ板金との取り付け位置の精度を高める必要がある。取り付け位置の精度を高めるためには、ベース板金、モータ板金、スペーサの各寸法精度を上げることが考えられる。
【０００５】
また、特許文献１では、ピックアップをディスク径方向に移動させるためのガイドシャフトを支持する支持部材と、スピンドルモータ用のモータ基板が固定されるガイドポストと、を備え、支持部材をガイドポストに当接させることにより、支持部材の位置決めを行うガイドシャフト固定装置が提案されている。
【特許文献１】特開２０００−３３１４４２号公報
【発明の開示】
【発明が解決しようとする課題】
【０００６】
しかしながら、特許文献１では、ガイドポストの取付軸をモータ基板の取付孔に挿入した後、ネジによりモータ基板をガイドポストに固定しており、ガイドポストの取付軸をモータ基板の取付孔に挿入するためには、取付軸と取付孔との間には若干のクリアランスを設ける必要があるため、このクリアランス分だけ、ガイドポストとモータ板金との取り付け位置、すなわち、光ピックアップに対するスピンドルモータの位置がズレるという問題があった。光ピックアップに対するスピンドルモータの位置がズレた場合には、光ピックアップによる情報の再生や記録を正確に行うことができないという問題があった。
【０００７】
本発明は、上記課題を解決するためになされたものであり、光ピックアップとスピンドルモータとを確実に正しい位置関係にすることができる光ディスク装置を提供することを目的とする。
【課題を解決するための手段】
【０００８】
上記目的を達成するために、本発明の光ディスク装置は、光ピックアップを光ディスクの径方向に移動自在に支持する支持シャフトが取り付けられたベースプレートと；前記光ディスクを回転させるスピンドルモータが固着されたモータプレートと；前記ベースプレートと前記モータプレートとの間に配されるスペーサと；前記スペーサを挟持した状態で前記ベースプレートと前記モータプレートとを係止する係止部材と；を備えた光ディスク装置であって、前記スペーサは、前記モータプレートに形成された係合孔に挿入される係合ボスと；前記係合ボスに形成され前記係止部材が挿通される挿通孔と；を備え、前記係止部材は、前記挿通孔を挿通され、前記ベースプレートに形成された係止孔に係止する係止部と；前記挿通孔の径よりも大きい径で形成され、前記挿通孔に入り込む大径部と；前記係合孔の径よりも大きい径で形成された頭部と；を備え、前記係合ボスは、前記挿通孔に入り込んだ前記大径部により外側に広がることを特徴とする。なお、前記スペーサを構成する素材としては、樹脂や金属等が挙げられ、樹脂としては、ポリフェニレンサルファイド（ＰＰＳ）樹脂やポリブチレンテレフタレート（ＰＢＴ）樹脂等が挙げられる。また、前記係止部材としては、係止部としてのネジ部が形成されたネジ、係止部としての弾性変形可能なフック部（パッチン止めと称される方法にて係止する形状のもの）が形成された係止バー等が挙げられる。
【０００９】
また、前記大径部を、前記挿通孔に入り込み前記係合ボスを外側に広げたときに、前記係合ボスが前記モータプレートに当接する径サイズで形成することが好ましい。さらに、前記係合ボスの側面にスリットを形成することが好ましい。なお、前記スリットを形成する位置は、前記挿入ボスを外側のどの方向に広げるかによって適宜変更可能されるものである。
【００１０】
また、前記大径部を、前記挿通孔に入り込む挿入側の一端が前記挿通孔よりも径が小さく、他端に向かうにつれて径が大きくなるテーパ状に形成することが好ましい。さらに、前記支持シャフトは、一端が前記ベースプレートに取り付けられ、他端が前記スペーサに取り付けられていることが好ましい。
【発明の効果】
【００１１】
本発明の光ディスク装置によれば、光ピックアップを光ディスクの径方向に移動自在に支持する支持シャフトが取り付けられたベースプレートと；光ディスクを回転させるスピンドルモータが固着されたモータプレートと；ベースプレートとモータプレートとの間に配されるスペーサと；スペーサを挟持した状態でベースプレートとモータプレートとを係止する係止部材と；を備えた光ディスク装置であって、スペーサは、モータプレートに形成された係合孔に挿入される係合ボスと；係合ボスに形成され係止部材が挿通される挿通孔と；を備え、係止部材は、挿通孔を挿通され、ベースプレートに形成された係止孔に係止する係止部と；挿通孔の径よりも大きい径で形成され、挿通孔に入り込む大径部と；係合孔の径よりも大きい径で形成された頭部と；を備え、係合ボスは、挿通孔に入り込んだ大径部により外側に広がるから、係止部材によりベースプレートとモータプレートとを係止すると、係合ボスと、モータプレートの係合孔により形成された壁面との隙間を小さくすることができ、ベースプレートとモータプレートとの位置ズレを小さくすることができる。これにより、光ピックアップとスピンドルモータとの位置ズレを確実に小さくすることができる。
【００１２】
また、大径部を、挿通孔に入り込み係合ボスを外側に広げたときに、係合ボスがモータプレートに当接する径サイズで形成したから、ベースプレートとモータプレートとの位置ズレを防止することができ、光ピックアップとスピンドルモータとを確実に正しい位置関係にすることができる。
【００１３】
さらに、係合ボスの側面にスリットを形成したから、容易に係合ボスを外側に広げることができ、さらには、スリットを形成する位置を変更することにより、係合ボスを広げる方向を変更することができる。
【発明を実施するための最良の形態】
【００１４】
本発明を実施した光ディスク装置２を内蔵したノート型パソコンの外観を示す図１において、光ディスク装置２はパソコン本体３の一方の側面に組み込まれる。図は、光ディスク４を装填するためにトレイユニット５をいっぱいに引き出した様子を表している。光ディスク４の装填後、フロントカバー６を押圧するとトレイユニット５はパソコン本体３内に完全に格納された状態でロックされる。トレイユニット５を引き出すときには、フロントカバー６に設けられたイジェクトボタン６ａを押す。イジェクトボタン６ａが押されたとき、光ピックアップ２１（図３参照）が光ディスク４にアクセスしていなければ格納位置でのロックが解除され、トレイユニット５がバネの付勢により所定ストローク（例えば１０ｍｍ程度）突出するから、ユーザはフロントカバー６をつまんで図示の突出位置まで引き出し操作することができる。
【００１５】
図２に示すように、光ディスク装置２は、パソコン本体３の内部に固定される金属薄板製のフレーム１０と、フレーム１０の左右の側壁に設けられたガイドレールに沿ってスライドするスライドレール１１，１２と、これらのスライドレール１１，１２に対してさらにスライド自在に組み付けられたトレイユニット５とからなる。フレーム１０の側壁の内面にはスライドレール１１，１２の移動をガイドするプラスチック製のガイドレールが固定されている。
【００１６】
図２において、トレイユニット５は、光ディスク４の外径に対応した窪みが形成されたプラスチック製のディスクトレイ１４と、ディスクトレイ１４の開口部１４ａを下側から塞ぐように組み付けられたピックアップユニット１５とを含む。ディスクトレイ１４の側壁にはトレイユニット５のスライド方向に延びたガイド用の突条と溝とが一体成形され、前述したスライドレール１１，１２が係合している。これにより、ディスクトレイ１４がスラドレール１１，１２及び、前述のガイドレールを介してフレーム１０にスライド自在に支持され、ピックアップユニット１５はディスクトレイ１４のスライドに伴って同方向に移動する。なお、ディスクトレイ１４、スライドレール１１，１２、ガイドレールにはそれぞれ適宜の位置にストッパが設けられ、ディスクトレイ１４及びスライドレール１１，１２は予め決められた範囲内でスライドする。
【００１７】
ピックアップユニット１５には、光ディスク４を回転させるスピンドルモータ１６、スピンドルモータ１６の駆動軸に固定されたチャッキングコア１７が設けられている。ディスクトレイ１４の窪みに合わせて光ディスク４を装填すると、チャッキングコア１７が光ディスク４のチャック孔４ａ（図１参照）に係合して光ディスク４を保持する。
【００１８】
フレーム１０の奥側にはイジェクトバネ１８を含むイジェクト機構１９が設けられ、イジェクトボタン６ａを押して格納位置でのロックが解除されると、前述のようにトレイユニット５はイジェクトバネ１８の付勢により所定ストロークだけ突出する。なお、符号６ｂは光ディスク４にアクセス中であることを外部表示する表示部、符号６ｃは緊急操作用のイジェクト穴を示す。故障やパソコンの暴走などでイジェクトボタン６ａの操作ではイジェクトできなくなっても、イジェクト穴６ｃに固い細線を差し込むことによって格納位置でのロックを解除してディスクトレイ１４を引き出すことが可能となる。
【００１９】
図２に示す突出位置からディスクトレイ１４を押し込むと、スライドレール１１，１２上をディスクトレイ１４が奥に向かってスライドし、またスライドレール１１，１２がフレーム１０に固定されたガイドレール上を奥に向かってスライドする。フレーム１０に対してディスクトレイ１４が所定の位置まで押し込まれると、イジェクトバネ１８をチャージした状態でディスクトレイ１４にフック（図示せず）が係合し、ディスクトレイ１４は格納位置に機械的にロックされる。
【００２０】
図３及び図４に示すように、ピックアップユニット１５は、スピンドルモータ１６と、光ピックアップ２１が取り付けられたキャリッジ２２と、キャリッジ２２を光ディスク４の径方向に移動自在に支持する第１支持シャフト２３及び第２支持シャフト２４と、キャリッジ２２を移動させるためのリードスクリュー２５と、リードスクリューを回転させるためのスクリューモータ２６と、を備える。リードスクリュー２５は、スクリューモータ２６に回転自在に取り付けられている。
【００２１】
第１支持シャフト２３の図３における下端（一端）、第２支持シャフト２４の両端及びスクリューモータ２６は、ネジ等により板金製のベースプレート２７に取り付けられている。また、第１支持シャフト２３の図３における上端（他端）は、後述するスペーサ４０のシャフト取付部４０ｉに取り付けられている。
【００２２】
ベースプレート２７の上面には、ベースプレート２７の上面を覆う板金製のカバープレート２８（図２参照）が取り付けられている。スピンドルモータ１６は、板金製のモータプレート２９に固着されており、モータプレート２９は、ベースプレート２７の下方に取り付けられている。モータプレート２９には、スピンドルモータ１６と、光ピックアップ２１及びスクリューモータ２６の駆動を制御する制御基板（図示せず）と、が取り付けられている。ピックアップユニット１５には、振動や衝撃を吸収する弾性体として作用する柔軟なゴム製のダンパー（図示せず）が３箇所に設けられている。なお、図３は、ピックアップユニット１５を上面から見た図であり、図４はピックアップユニット１５を下面から見た図である。
【００２３】
カバープレート２８には、スピンドルモータ１６から半径方向に延びた開口２８ａ（図２参照）が形成され、この開口２８ａを通して光ピックアップ２１が光ディスク４にアクセスする。
【００２４】
キャリッジ２２には、第１支持シャフト２３が挿通される第１軸受３１及び第２軸受３２が、間隔を空けて形成されている。また、キャリッジ２２には、第２支持シャフト２４にフックするフック部３３が形成されている。第１軸受３１及び第２軸受３２に第１支持シャフト２３を挿通し、フック部３３を第２支持シャフト２４にフックすると、キャリッジ２２は、光ディスク４の径方向に沿って配設された第１，第２支持シャフト２３，２４の長手方向、すなわち、光ディスク４の径方向に移動自在となる。キャリッジ２２の第１軸受３１と第２軸受３２との間には、ティース３５が、ビスにより着脱自在に取り付けられる。ティース３５には、ギア歯が２個形成されており、このギア歯はリードスクリュー２５の凹状のギアに噛合している。これにより、スクリューモータ２６が駆動してリードスクリュー２５が回転すると、キャリッジ２２は、光ディスク４の径方向に移動する。
【００２５】
図５及び図６に示すように、ベースプレート２７とモータプレート２９との間には、スペーサ４０が配設されており、詳しくは後述するように、ベースプレート２７の上にスペーサ４０を載せ、スペーサ４０の上にモータプレート２９を載せた後、取付ネジ（係止部材）４１により、スペーサ４０を挟持した状態でベースプレート２７とモータプレート２９とを取り付けている。
【００２６】
ベースプレート２７には、スペーサ４０の受けとなる受け部２７ａが３個形成されており、この受け部２７ａの図５及び図６における上面には、スペーサ４０の第３段孔４０ｆに挿入される位置決め凸部２７ｂが形成されている。ベースプレート２７には、受け部２７ａ及び位置決め凸部２７ｂに連通して、取付ネジ４１のネジ部４１ａと噛合するネジ孔（係止孔）２７ｃが形成されている。ベースプレート２７の各受け部２７ａの周囲には、スペーサ４０の位置決めボス４０ｈが挿入される位置決め孔２７ｄが形成されている。
【００２７】
モータプレート２９には、３個のネジ孔２７ｃに対応した位置に係合孔２９ａが３個形成されている。この係合孔２９ａは、スペーサ４０の係合ボス４０ｂが挿入されるものであり、係合ボス４０ｂよりも大きい径で形成されている。
【００２８】
スペーサ４０は、樹脂（例えば、ポリフェニレンサルファイド（ＰＰＳ）樹脂やポリブチレンテレフタレート（ＰＢＴ）樹脂等）により構成されており、略円柱状の係合部４０ａが、３個のネジ孔２７ｃに対応した位置に３個形成されている。各係合部４０ａの図５及び図６における上面には、係合孔２９ａに挿入される係合ボス４０ｂが形成されており、係合部４０ａ及び係合ボス４０ｂに連通して、取付ネジ４１のネジ部４１ａが挿通される挿通孔４０ｃが形成されている。この挿通孔４０ｃは、３段の段付き孔状に形成されており、図５及び図６における最上段から順に第１段孔４０ｄ、第２段孔４０ｅ、第３段孔４０ｆとなっている。
【００２９】
第１段孔４０ｄは、取付ネジ４１のネジ部４１ａの径よりも大きく、且つテーパ部４１ｂよりも小さい径で形成されている。第２段孔４０ｅは、ネジ部４１ａよりも大きい径で形成されている。第３段孔４０ｆは、ネジ部４１ａよりも大きく、且つ位置決め凸部２７ｂの径よりも大きい径で形成されている。これにより、位置決め凸部２７ｂを第３段孔４０ｆに挿入することができる。
【００３０】
係合ボス４０ｂには、スリット４０ｇが１８０°ピッチで２個形成されている。このスリット４０ｇは、第１段孔４０ｄに取付ネジ４１のテーパ部４１ｂが入り込んだときに、係合ボス４０ｂが図５及び図６におけるＡ方向で且つ外側に広がるような位置に形成されている。
【００３１】
スペーサ４０の各係合部４０ａの周囲には、ベースプレート２７の位置決め孔２７ｄに挿入される位置決めボス４０ｈが形成されている。この位置決めボス４０ｈは、位置決め孔２７ｄよりも小さい径で形成されている。また、スペーサ４０には、第１支持シャフト２３の図３における上端（他端）が取り付けられるシャフト取付部４０ｉが形成されており、このシャフト取付部４０ｉには、第１支持シャフト２３が挿入されるシャフト挿入孔が形成されている。
【００３２】
取付ネジ（係止部材）４１は、ネジ切りされたネジ部（係止部）４１ａと、ネジ部４１ａの図５及び図６における上方に形成されたテーパ部（大径部）４１ｂと、テーパ部４１ｂの図５及び図６における上方に形成された頭部４１ｃと、から構成される。テーパ部４１ｂは、下端（挿通孔４０ｃに入り込む挿入側の一端）がスペーサ４０の第１段孔４０ｄよりも径が小さく、上端（他端）に向かうにつれて径が大きくなるように形成されており、中心部では第１段孔４０ｄよりも径が大きく形成されている。これにより、テーパ部４１ｂは、第１段孔４０ｄに入り込むことができる。
【００３３】
次に、上記のように構成された光ディスク装置２の作用について説明する。図７に示すように、ベースプレート２７にモータプレート２９を取り付ける場合には、先ず、ベースプレート２７の位置決め孔２７ｄにスペーサ４０の位置決めボス４０ｈを挿入するとともに、位置決め凸部２７ｂを第３段孔４０ｆに挿入する。そして、係合ボス４０ｂをモータプレート２９の係合孔２９ａに挿入する。このとき、係合ボス４０ｂとモータプレート２９の係合孔２９ａにより形成される壁面２９ｂとの間には、図７中Ａ方向において隙間が生じる。
【００３４】
次に、図８に示すように、ドライバ等の工具を用いて、取付ネジ４１のネジ部４１ａを、挿通孔４０ｃを挿通させてネジ孔２７ｃに噛合すると、ベースプレート２７に対して取付ネジ４１が位置決めされる。頭部４１ｃがモータプレート２９の上面に当接するまで取付ネジ４１を回転させると、スペーサ４０を挟持した状態でベースプレート２７とモータプレート２９とが取り付けられる。このとき、テーパ部４１ｂが第１段孔４０ｄに入り込み、テーパ部４１ｂが第１段孔４０ｄの内壁を押圧することにより、取付ネジ４１に対してスペーサ４０が位置決めされる。さらに、テーパ部４１ｂが第１段孔４０ｄに入り込むと、係合ボス４０ｂが左右に広がり、壁面２９ｂに当接し、係合ボス４０ｂと壁面２９ｂとの間の図８中Ａ方向における隙間がなくなる。これにより、スペーサ４０に対してモータプレート２９が位置決めされる。すなわち、取付ネジ４１のネジ部４１ａを、挿通孔４０ｃを挿通させてネジ孔２７ｃに噛合すると、ベースプレート２７に対してスペーサ４０及びモータプレート２９が位置決めされた状態となる。
【００３５】
このように、取付ネジ４１によりベースプレート２７とモータプレート２９とを取り付けると、係合ボス４０ｂは、テーパ部４１ｂにより左右外側に広がり、モータプレート２９の壁面２９ｂに当接するから、ベースプレート２７とモータプレート２９との位置ズレを防止することでき、光ピックアップ２１とスピンドルモータ１６とを確実に正しい位置関係にすることができる。
【００３６】
また、スペーサ４０の係合ボス４０ｂにスリット４０ｇを形成したから、容易に係合ボス４０ｂを外側に広げることができる。さらに、スリット４０ｇを、光ピックアップ２１（キャリッジ２２）の移動方向に平行に形成したから、光ピックアップ２１の移動方向に直交する方向におけるベースプレート２７とモータプレート２９との位置ズレを最も防止することができ、これにより、光ピックアップ２１によるデータの再生や記録を正確に行うことができる。また、スリット４０ｇを形成する位置に応じて、係合ボス４０ｂの広がる方向を指定することができるから、スリット４０ｇを形成する位置に応じて、ベースプレート２７とモータプレート２９とを、どの方向において位置ズレ防止させるかを指定することができる。
【００３７】
なお、上記実施形態では、スペーサ４０の係合ボス４０ｂにスリット４０ｇを２個形成したが、スリット４０ｇの個数は適宜変更可能であり、さらには、スリット４０ｇを形成する位置も適宜変更可能である。
【００３８】
また、上記実施形態では、スペーサ４０に３個の係合ボス４０ｂを形成したが、この個数は適宜変更可能であり、それに応じて、ベースプレート２７のネジ孔２７ｃ及びモータプレート２９の係合孔２９ａの個数は適宜変更されるものである。
【００３９】
さらに、上記実施形態では、スペーサ４０を、樹脂により構成したが、これに限定されることなく、取付ネジ４１により変形される係合ボス４０ｂを備えたものであればよく、金属等により構成してもよい。
【図面の簡単な説明】
【００４０】
【図１】本発明の光ディスク装置を備えたノート型パソコンの外観図である。
【図２】光ディスク装置を示す斜視図である。
【図３】ピックアップユニットを示す上面図である。
【図４】ピックアップユニットを示す下面図である。
【図５】ベースプレートとモータプレートとスペーサと取付ネジとを示す斜視図である。
【図６】ベースプレートとモータプレートとスペーサと取付ネジとを示す側面断面図である。
【図７】ベースプレートとモータプレートとスペーサとを係合した状態を示す側面断面図である。
【図８】取付ネジによりスペーサを挟持した状態で取り付けられたベースプレートとモータプレートとを示す側面断面図である。
【符号の説明】
【００４１】
２  光ディスク装置
１５  ピックアップユニット
２１  光ピックアップ
２７  ベースプレート
２７ｃ  ネジ孔（係止孔）
２９  モータプレート
２９ａ  係合孔
４０  スペーサ
４０ａ  係合部
４０ｂ  係合ボス
４０ｃ  挿通孔
４０ｄ  第１段孔
４０ｇ  スリット
４１  取付ネジ（係止部材）
４１ａ  ネジ部（係止部）
４１ｂ  テーパ部（大径部）
４１ｃ  頭部
【図１】
2007280514.tif 000003
【図２】
2007280514.tif 000004
【図３】
2007280514.tif 000005
【図４】
2007280514.tif 000006
【図５】
2007280514.tif 000007
【図６】
2007280514.tif 000008
【図７】
2007280514.tif 000009
【図８】
2007280514.tif 000010